(57)【特許請求の範囲】
【請求項１】
無線通信システムにおいてＵＥ（ｕｓｅｒ  ｅｑｕｉｐｍｅｎｔ）により干渉を測定する方法であって、前記方法は、
前記ＵＥにより、干渉測定のための複数のＣＳＩ（ｃｈａｎｎｅｌ  ｓｔａｔｅ  ｉｎｆｏｒｍａｔｉｏｎ）干渉測定（ＩＭ）資源構成を基地局から受信することであって、前記複数のＣＳＩ  ＩＭ資源構成の各々は、ゼロ出力ＣＳＩ−ＲＳ（ＣＳＩ  ｒｅｆｅｒｅｎｃｅ  ｓｉｇｎａｌ）構成と、ゼロ出力ＣＳＩ−ＲＳサブフレーム構成とを含み、前記複数のＣＳＩ  ＩＭ資源構成は、相互に別個に構成される、ことと、
前記複数のＣＳＩ  ＩＭ資源構成により構成されたゼロ出力ＣＳＩ−ＲＳに基づいて干渉を測定することと
を含む、方法。
【請求項２】
前記複数のＣＳＩ  ＩＭ資源構成は、上位階層を介して受信される、請求項１に記載の方法。
【請求項３】
前記ゼロ出力ＣＳＩ−ＲＳ構成は、前記干渉測定のために使用される前記ゼロ出力ＣＳＩ−ＲＳの構成インデックスを指示する、請求項１に記載の方法。
【請求項４】
前記ゼロ出力ＣＳＩ−ＲＳの構成インデックスは、前記ゼロ出力ＣＳＩ−ＲＳに割り当てられる資源要素を指示する、請求項３に記載の方法。
【請求項５】
前記ゼロ出力ＣＳＩ−ＲＳ構成は、下記の表のＣＳＩ−ＲＳ構成のうちの１つを指示する、請求項３に記載の方法。
【表１】
0005766881.tif 000015
【請求項６】
前記ゼロ出力ＣＳＩ−ＲＳ構成は、下記の表のＣＳＩ−ＲＳ構成のうちの１つである、請求項３に記載の方法。
【表２】
0005766881.tif 000016
【請求項７】
前記測定された干渉に基づいてＣＱＩ（ｃｈａｎｎｅｌ  ｑｕａｌｉｔｙ  ｉｎｄｉｃａｔｏｒ）を計算することをさらに含む、請求項１に記載の方法。
【請求項８】
無線通信システムにおけるＵＥ（ｕｓｅｒ  ｅｑｕｉｐｍｅｎｔ）であって、前記ＵＥは、
無線信号を伝送または受信するＲＦ（ｒａｄｉｏ  ｆｒｅｑｕｅｎｃｙ）部と、
前記ＲＦ部と接続されるプロセッサと
を備え、
前記プロセッサは、
干渉測定のための複数のＣＳＩ（ｃｈａｎｎｅｌ  ｓｔａｔｅ  ｉｎｆｏｒｍａｔｉｏｎ）干渉測定（ＩＭ）資源構成を基地局から受信することであって、前記複数のＣＳＩ  ＩＭ資源構成の各々は、ゼロ出力ＣＳＩ−ＲＳ（ＣＳＩ  ｒｅｆｅｒｅｎｃｅ  ｓｉｇｎａｌ）構成と、ゼロ出力ＣＳＩ−ＲＳサブフレーム構成とを含み、前記複数のＣＳＩ  ＩＭ資源構成は、相互に別個に構成される、ことと、
前記複数のＣＳＩ  ＩＭ資源構成により構成されたゼロ出力ＣＳＩ−ＲＳに基づいて干渉を測定することと
を実行するように構成される、ＵＥ。
【請求項９】
前記複数のＣＳＩ  ＩＭ資源構成は、上位階層を介して受信される、請求項８に記載のＵＥ。
【請求項１０】
前記ゼロ出力ＣＳＩ−ＲＳ構成は、前記干渉測定のために使用される前記ゼロ出力ＣＳＩ−ＲＳの構成インデックスを指示する、請求項８に記載のＵＥ。
【請求項１１】
前記ゼロ出力ＣＳＩ−ＲＳの構成インデックスは、前記ゼロ出力ＣＳＩ−ＲＳに割り当てられる資源要素を指示する、請求項１０に記載のＵＥ。
【請求項１２】
前記ゼロ出力ＣＳＩ−ＲＳ構成は、下記の表のＣＳＩ−ＲＳ構成のうちの１つを指示する、請求項１０に記載のＵＥ。
【表３】
0005766881.tif 000017
【請求項１３】
前記ゼロ出力ＣＳＩ−ＲＳ構成は、下記の表のＣＳＩ−ＲＳ構成のうちの１つである、請求項１０に記載のＵＥ。
【表４】
0005766881.tif 000018
【請求項１４】
前記ＵＥにより、第１のセットのＣＳＩ−ＲＳ資源構成および第２のセットのＣＳＩ資源構成を前記基地局から受信することをさらに含む、請求項１に記載の方法。
【請求項１５】
前記第１のセットのＣＳＩ−ＲＳ資源構成は、前記ＵＥによりモニタリングされるＣＳＩ−ＲＳ資源構成であり、
前記第２のセットのＣＳＩ−ＲＳ資源構成は、前記ＵＥがデータを伝送または受信するときに基づくＣＳＩ−ＲＳ資源構成である、請求項１４に記載の方法。
【請求項１６】
前記第１のセットのＣＳＩ−ＲＳ資源構成または前記第２のセットのＣＳＩ−ＲＳ資源構成のうちの少なくとも１つは、前記複数のＣＳＩ  ＩＭ資源構成に対応する、請求項１４に記載の方法。
【発明の詳細な説明】
【技術分野】
【０００１】
本発明は、無線通信に関し、より詳細には、無線通信システムにおいて干渉を測定する方法及び装置に関する。
【背景技術】
【０００２】
最近活発に研究されている次世代マルチメディア無線通信システムは、初期の音声中心のサービスを外れて、映像、無線データなどの様々な情報を処理して伝送できるシステムが求められている。現在、３世帯無線通信システムに続いて開発されている４世帯無線通信は、下向きリンク１Ｇｂｐｓ（ｇｉｇａｂｉｔｓ  ｐｅｒ  ｓｅｃｏｎｄ）及び上向きリンク５００Ｍｂｐｓ（ｍｅｇａｂｉｔｓ  ｐｅｒ  ｓｅｃｏｎｄ）の高速のデータサービスを支援することを目標とする。無線通信システムの目的は、複数のユーザが位置と移動性に関係なく信頼できる（ｒｅｌｉａｂｌｅ）通信が可能なようにすることである。ところが、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェージング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）、または端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために様々な技術が開発されている。
【０００３】
一方、Ｍ２Ｍ（ｍａｃｈｉｎｅ−ｔｏ−ｍａｃｈｉｎｅ）通信の導入、スマートフォン、タブレットＰＣなどの様々なデバイスの出現及び補給により、セルラー（ｃｅｌｌｕａｒ）網に対するデータ要求量が速く増加している。高いデータ要求量を満たすために様々な技術が開発されている。より多くの周波数帯域を効率的に使用するための搬送波集合（ＣＡ；ｃａｒｒｉｅｒ  ａｇｇｒｅｇａｔｉｏｎ）技術、認知無線（ＣＲ；ｃｏｇｎｉｔｉｖｅ  ｒａｄｉｏ）技術などが研究中にある。また、限定された周波数帯域内でデータ容量を高めるための多重アンテナ技術、多重基地局協力技術などが研究されている。すなわち、つまり、無線通信システムは、ユーザ周辺に接続できるノード（ｎｏｄｅ）の密度が高まる方向に進化するはずであろう。ノードの密度が高い無線通信システムは、ノード間の協力によって性能が一層向上し得る。すなわち、各ノードが互いに協力する無線通信システムは、各ノードが独立的な基地局（ＢＳ；ｂａｓｅ  ｓｔａｔｉｏｎ）、ＡＢＳ（ａｄｖａｎｃｅｄ  ＢＳ）、Ｎｏｄｅ−Ｂ（ＮＢ）、ｅＮｏｄｅ−Ｂ（ｅＮＢ）、ＡＰ（ａｃｃｅｓｓ  ｐｏｉｎｔ）等で動作する無線通信システムより最も優れた性能を有する。
【０００４】
無線通信システムの性能改善のために、セル内の複数のノードを備えた分散多重ノードシステム（ＤＭＮＳ；ｄｉｓｔｒｉｂｕｔｅｄ  ｍｕｌｔｉ  ｎｏｄｅ  ｓｙｓｔｅｍ）が適用され得る。多重ノードシステムは、分散アンテナシステム（ＤＡＳ；ｄｉｓｔｒｉｂｕｔｅｄ  ａｎｔｅｎｎａ  ｓｙｓｔｅｍ）、無線遠隔装備（ＲＲＨ；ｒａｄｉｏ  ｒｅｍｏｔｅ  ｈｅａｄ）などを含むことができる。また、既に開発されたり今後適用が可能な様々なＭＩＭＯ（ｍｕｌｔｉｐｌｅ−ｉｎｐｕｔ  ｍｕｌｔｉｐｌｅ−ｏｕｔｐｕｔ）技法と協力通信技法を分散多重ノードシステムに適用するための標準化作業が進行中である。
【０００５】
分散多重ノードシステムにおいて、端末が干渉を効率的に測定するための方法が求められる。
【発明の概要】
【発明が解決しようとする課題】
【０００６】
本発明の技術的課題は、無線通信システムにおいて干渉を測定する方法及び装置を提供することにある。本発明は、分散多重ノードシステムでゼロ出力（ｚｅｒｏ−ｐｏｗｅｒ）チャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）構成（ｃｏｎｆｉｇｕｒａｔｉｏｎ）に基づいて干渉を測定する方法を提供する。
【課題を解決するための手段】
【０００７】
一態様において、無線通信システムにおいて端末（ＵＥ；ｕｓｅｒ  ｅｑｕｉｐｍｅｎｔ）による干渉を測定する方法が提供される。前記方法は、基地局から第１のＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）集合に属する複数のＣＳＩ−ＲＳ構成（ｃｏｎｆｉｇｕｒａｔｉｏｎ）を前記第１のＣＳＩ集合に対応する基地局の複数のノードを介して受信し、第１のゼロ出力（ｚｅｒｏ−ｐｏｗｅｒ）ＣＳＩ−ＲＳ構成を前記第１のＣＳＩ集合に対応する基地局の複数のノードを介して受信し、前記第１のゼロ出力ＣＳＩ−ＲＳ構成に基づいて、前記第１のＣＳＩ−ＲＳ集合に対する干渉を測定することを含む。
【０００８】
前記第１のＣＳＩ−ＲＳ集合に属する複数のＣＳＩ−ＲＳ構成は、前記端末がモニタリングするＣＳＩ−ＲＳ構成でありうる。
【０００９】
前記方法は、前記端末がデータを伝送または受信する複数のＣＳＩ−ＲＳ構成を含む第２のＣＳＩ−ＲＳ集合に対する干渉を測定することをさらに含むことができる。
【００１０】
他の態様において、無線通信システムにおいて干渉を測定する端末が提供される。前記端末は、無線信号を伝送または受信するＲＦ（ｒａｄｉｏ  ｆｒｅｑｕｅｎｃｙ）部、及び前記ＲＦ部と接続されるプロセッサを備え、前記プロセッサは、基地局から第１のＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）集合に属する複数のＣＳＩ−ＲＳ構成（ｃｏｎｆｉｇｕｒａｔｉｏｎ）を前記第１のＣＳＩ集合に対応する基地局の複数のノードを介して受信し、第１のゼロ出力（ｚｅｒｏ−ｐｏｗｅｒ）ＣＳＩ−ＲＳ構成を前記第１のＣＳＩ集合に対応する基地局の複数のノードを介して受信し、前記第１のゼロ出力ＣＳＩ−ＲＳ構成に基づいて、前記第１のＣＳＩ−ＲＳ集合に対する干渉を測定するように構成される。
【発明の効果】
【００１１】
分散多重ノードシステムにおいて干渉を効率的に測定することができる。
本発明はさらに、たとえば、以下を提供する。
（項目１）
無線通信システムにおいて端末（ＵＥ；ｕｓｅｒ  ｅｑｕｉｐｍｅｎｔ）による干渉を測定する方法であって、
基地局から第１のＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）集合に属する複数のＣＳＩ−ＲＳ構成（ｃｏｎｆｉｇｕｒａｔｉｏｎ）を前記第１のＣＳＩ集合に対応する基地局の複数のノードを介して受信し、
第１のゼロ出力（ｚｅｒｏ−ｐｏｗｅｒ）ＣＳＩ−ＲＳ構成を前記第１のＣＳＩ集合に対応する基地局の複数のノードを介して受信し、
前記第１のゼロ出力ＣＳＩ−ＲＳ構成に基づいて、前記第１のＣＳＩ−ＲＳ集合に対する干渉を測定することを含むことを特徴とする方法。
（項目２）
前記第１のＣＳＩ−ＲＳ集合に属する複数のＣＳＩ−ＲＳ構成は、前記端末がモニタリングするＣＳＩ−ＲＳ構成であることを特徴とする項目１に記載の方法。
（項目３）
前記端末がデータを伝送または受信する複数のＣＳＩ−ＲＳ構成を含む第２のＣＳＩ−ＲＳ集合に対する干渉を測定することをさらに含むことを特徴とする項目１に記載の方法。
（項目４）
前記第２のＣＳＩ−ＲＳ集合に対する干渉は、前記第１のＣＳＩ集合に対する干渉に基づいて下記の数式により測定されることを特徴とする項目３に記載の方法。
【数１−１】
0005766881.tif 000002
ただし、ＩＳＥＴ１は、前記第１のＣＳＩ集合に対する干渉、ＩＳＥＴ２は、前記第２のＣＳＩ集合に対する干渉、Ｈｊは、ｊ番目のＣＳＩ−ＲＳ構成に対応するチャネルを示す。
（項目５）
前記第２のＣＳＩ−ＲＳ集合に対する干渉を測定することは、
第２のゼロ出力ＣＳＩ−ＲＳ構成を前記第２のＣＳＩ集合に対応する基地局の複数のノードを介して受信し、
前記第２のゼロ出力ＣＳＩ−ＲＳ構成に基づいて、前記第２のＣＳＩ−ＲＳ集合に対する干渉を測定することを含むことを特徴とする項目３に記載の方法。
（項目６）
前記第２のＣＳＩ−ＲＳ集合は、前記第１のＣＳＩ集合に含まれることを特徴とする項目３に記載の方法。
（項目７）
前記複数のＣＳＩ−ＲＳ構成は、複数のＣＳＩ−ＲＳ構成ＩＥ（ｉｎｆｏｒｍａｔｉｏｎ  ｅｌｅｍｅｎｔ）を介して受信されることを特徴とする項目１に記載の方法。
（項目８）
前記複数のＣＳＩ−ＲＳ構成は、新しく定義された１つのＣＳＩ−ＲＳ構成ＩＥを介して受信されることを特徴とする項目１に記載の方法。
（項目９）
前記第１のＣＳＩ−ＲＳ集合に属する各ＣＳＩ−ＲＳ構成に対応するチャネルを推定することをさらに含むことを特徴とする項目１に記載の方法。
（項目１０）
前記推定されたチャネルに基づいてＣＱＩ（ｃｈａｎｎｅｌ  ｑｕａｌｉｔｙ  ｉｎｄｉｃａｔｏｒ）を前記基地局に伝送することをさらに含むことを特徴とする項目９に記載の方法。
（項目１１）
無線通信システムにおいて干渉を測定する端末であって、
無線信号を伝送または受信するＲＦ（ｒａｄｉｏ  ｆｒｅｑｕｅｎｃｙ）部、及び前記ＲＦ部と接続されるプロセッサを備え、
前記プロセッサは、
基地局から第１のＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）集合に属する複数のＣＳＩ−ＲＳ構成（ｃｏｎｆｉｇｕｒａｔｉｏｎ）を前記第１のＣＳＩ集合に対応する基地局の複数のノードを介して受信し、
第１のゼロ出力（ｚｅｒｏ−ｐｏｗｅｒ）ＣＳＩ−ＲＳ構成を前記第１のＣＳＩ集合に対応する基地局の複数のノードを介して受信し、
前記第１のゼロ出力ＣＳＩ−ＲＳ構成に基づいて、前記第１のＣＳＩ−ＲＳ集合に対する干渉を測定するように構成されることを特徴とする端末。
（項目１２）
前記第１のＣＳＩ−ＲＳ集合に属する複数のＣＳＩ−ＲＳ構成は、前記端末がモニタリングするＣＳＩ−ＲＳ構成であることを特徴とする項目１１に記載の端末。
（項目１３）
前記プロセッサは、前記端末がデータを伝送または受信する複数のＣＳＩ−ＲＳ構成を含む第２のＣＳＩ−ＲＳ集合に対する干渉を測定するようにさらに構成されることを特徴とする項目１１に記載の端末。
（項目１４）
前記第２のＣＳＩ−ＲＳ集合に対する干渉は、前記第１のＣＳＩ集合に対する干渉に基づいて下記の数式により測定されることを特徴とする項目１３に記載の端末。
【数１−２】
0005766881.tif 000003
ただし、ＩＳＥＴ１は、前記第１のＣＳＩ集合に対する干渉、ＩＳＥＴ２は、前記第２のＣＳＩ集合に対する干渉、Ｈｊは、ｊ番目のＣＳＩ−ＲＳ構成に対応するチャネルを示す。
（項目１５）
前記第２のＣＳＩ−ＲＳ集合に対する干渉を測定することは、
第２のゼロ出力ＣＳＩ−ＲＳ構成を前記第２のＣＳＩ集合に対応する基地局の複数のノードを介して受信し、
前記第２のゼロ出力ＣＳＩ−ＲＳ構成に基づいて、前記第２のＣＳＩ−ＲＳ集合に対する干渉を測定するように構成されることを特徴とする項目１３に記載の端末。
【図面の簡単な説明】
【００１２】
【図１】図１は、無線通信システムである。
【図２】図２は、３ＧＰＰ  ＬＴＥにおいて無線フレーム（ｒａｄｉｏｆｒａｍｅ）の構造を示す。
【図３】図３は、１つの下向きリンクスロットに対する資源グリッド（ｒｅｓｏｕｒｃｅ  ｇｒｉｄ）の一例を示す。
【図４】図４は、下向きリンクサブフレームの構造を示す。
【図５】図５は、上向きリンクサブフレームの構造を示す。
【図６】図６は、多重ノードシステムの一例を示す。
【図７】図７〜図９は、ＣＲＳがマッピングされるＲＢの一例を示す。
【図８】図７〜図９は、ＣＲＳがマッピングされるＲＢの一例を示す。
【図９】図７〜図９は、ＣＲＳがマッピングされるＲＢの一例を示す。
【図１０】図１０は、ＤＭＲＳがマッピングされるＲＢの一例を示す。
【図１１】図１１は、ＣＳＩ−ＲＳがマッピングされるＲＢの一例を示す。
【図１２】図１２は、第１のＣＳＩ−ＲＳ集合と第２のＣＳＩ−ＲＳ集合の構成の一例を示す。
【図１３】図１３は、提案された干渉測定方法により構成されるゼロ出力ＣＳＩ−ＲＳの一例を示す。
【図１４】図１４は、提案された干渉測定方法により構成されるゼロ出力ＣＳＩ−ＲＳの他の例を示す。
【図１５】図１５は、提案される干渉測定方法の一実施形態を示す。
【図１６】図１６は、本発明の実施形態が実現される無線通信システムのブロック図である。
【発明を実施するための形態】
【００１３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線通信システムに使用され得る。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現され得る。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で実現され得る。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ｗｉＭＡＸ）、ＩＥＥＥ８０２−２０、Ｅ−ＵＴＲＡ（ｅｖｏｌｖｅｄ  ＵＴＲＡ）などのような無線技術で実現され得る。ＩＥＥＥ８０２．１６ｍは、ＩＥＥＥ８０２．１６ｅの進化で、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。
【００１４】
説明を明確にするために、ＬＴＥ−Ａを中心として記述するが、本発明の技術的思想がこれに制限されるものではない。
【００１５】
図１は、無線通信システムである。
【００１６】
無線通信システム１０は、少なくとも１つの基地局（１１；ｂａｓｅ  ｓｔａｔｉｏｎ、ＢＳ）を備える。各基地局１１は、特定の地理的領域（一般的にセルという）１５ａ、１５ｂ、１５ｃに対して通信サービスを提供する。セルはさらに複数の領域（セクターという）に分けられることができる。端末（１２；ｕｓｅｒ  ｅｑｕｉｐｍｅｎｔ、ＵＥ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語と呼ばれることができる。基地局１１は一般的に、端末１２と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語と呼ばれることができる。
【００１７】
端末は通常、１つのセルに属するが、端末が属したセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準として相対的に決定される。
【００１８】
この技術は、下向きリンク（ｄｏｗｎｌｉｎｋ）または上向きリンク（ｕｐｌｉｎｋ）に使用され得る。一般に下向きリンクは、基地局１１から端末１２への通信を意味し、上向きリンクは、端末１２から基地局１１への通信を意味する。下向きリンクにおいて送信機は基地局１１の一部分であり、受信機は端末１２の一部分でありうる。上向きリンクにおいて送信機は端末１２の一部分であり、受信機は基地局１１の一部分でありうる。
【００１９】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の伝送アンテナ（ｔｒａｎｓｍｉｔ  ａｎｔｅｎｎａ）と複数の受信アンテナ（ｒｅｃｅｉｖｅ  ａｎｔｅｎｎａ）とを使用する。ＭＩＳＯシステムは、複数の伝送アンテナと１つの受信アンテナとを使用する。ＳＩＳＯシステムは、１つの伝送アンテナと１つの受信アンテナとを使用する。ＳＩＭＯシステムは、１つの伝送アンテナと複数の受信アンテナとを使用する。以下において伝送アンテナは、１つの信号またはストリームを伝送するのに使用される物理的または論理的アンテナを意味し、受信アンテナは、１つの信号またはストリームを受信するのに使用される物理的または論理的アンテナを意味する。
【００２０】
図２は、３ＧＰＰ  ＬＴＥにおいて無線フレーム（ｒａｄｉｏｆｒａｍｅ）の構造を示す。
【００２１】
これは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ３６．２１１  Ｖ８．２．０（２００８−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」の５節を参照することができる。図２に示すように、無線フレームは、１０個のサブフレーム（ｓｕｂｆｒａｍｅ）で構成され、１つのサブフレームは、２個のスロット（ｓｌｏｔ）で構成される。無線フレーム内のスロットは、＃０から＃１９までスロット番号が付される。１つのサブフレームが伝送されるのにかかる時間をＴＴＩ（ｔｒａｎｓｍｉｓｓｉｏｎ  ｔｉｍｅ  ｉｎｔｅｒｖａｌ）という。ＴＴＩは、データ伝送のためのスケジューリング単位といえる。例えば、１つの無線フレームの長さは１０ｍｓであり、１つのサブフレームの長さは１ｍｓであり、１つのスロットの長さは０．５ｍｓでありうる。
【００２２】
１つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。ＯＦＤＭシンボルは、３ＧＰＰ  ＬＴＥが下向きリンクでＯＦＤＭＡを使用し、１つのシンボル区間（ｓｙｍｂｏｌ  ｐｅｒｉｏｄ）を表現するためのものであって、多重接続方式によって他の名称と呼ばれることができる。例えば、上向きリンク多重接続方式としてＳＣ−ＦＤＭＡが使用される場合、ＳＣ−ＦＤＭＡシンボルといえる。資源ブロック（ＲＢ；ｒｅｓｏｕｒｃｅ  ｂｌｏｃｋ）は、資源割当単位で、１つのスロットで複数の連続する副搬送波を含む。前記無線フレームの構造は一例にすぎないものである。したがって、無線フレームに含まれるサブフレームの個数やサブフレームに含まれるスロットの個数、或いはスロットに含まれるＯＦＤＭシンボルの個数は様々に変更され得る。
【００２３】
３ＧＰＰ  ＬＴＥは、ノーマル（ｎｏｒｍａｌ）サイクリックプレフィックス（ＣＰ；ｃｙｃｌｉｃ  ｐｒｅｆｉｘ）で１つのスロットが７個のＯＦＤＭシンボルを含み、拡張（ｅｘｔｅｎｄｅｄ）ＣＰで１つのスロットが６個のＯＦＤＭシンボルを含むことと定義している。
【００２４】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、上向きリンク伝送と下向きリンク伝送とが互いに異なる周波数帯域を占めながらなされる。ＴＤＤ方式によれば、上向きリンク伝送と下向きリンク伝送とが同じ周波数帯域を占めながら互いに異なる時間になされる。ＴＤＤ方式のチャネル応答は実質的に相互的（ｒｅｃｉｐｒｏｃａｌ）である。これは、与えられた周波数領域で下向きリンクチャネル応答と上向きリンクチャネル応答とがほとんど同一であるということである。したがって、ＴＤＤに基づいた無線通信システムにおいて下向きリンクチャネル応答は、上向きリンクチャネル応答から得られることができるという長所がある。ＴＤＤ方式は、全体周波数帯域を上向きリンク伝送と下向きリンク伝送とに時分割するので、基地局による下向きリンク伝送と端末による上向きリンク伝送とが同時に行われ得ない。上向きリンク伝送と下向きリンク伝送とがサブフレーム単位に区分されるＴＤＤシステムにおいて、上向きリンク伝送と下向きリンク伝送とは互いに異なるサブフレームで行われる。
【００２５】
図３は、１つの下向きリンクスロットに対する資源グリッド（ｒｅｓｏｕｒｃｅ  ｇｒｉｄ）の一例を示す。
【００２６】
下向きリンクスロットは、時間領域で複数のＯＦＤＭシンボルを含み、周波数領域でＮＲＢ個の資源ブロックを含む。下向きリンクスロットに含まれる資源ブロックの数であるＮＲＢは、セルで設定される下向きリンク伝送帯域幅（ｂａｎｄｗｉｄｔｈ）に従属する。例えば、ＬＴＥシステムにおいてＮＲＢは、６〜１１０のうち、いずれか１つでありうる。１つの資源ブロックは、周波数領域で複数の副搬送波を含む。上向きリンクスロットの構造も前記下向きリンクスロットの構造と同一でありうる。
【００２７】
資源グリッド上の各要素（ｅｌｅｍｅｎｔ）を資源要素（ｒｅｓｏｕｒｃｅ  ｅｌｅｍｅｎｔ）という。資源グリッド上の資源要素は、スロット内のインデックス対（ｐａｉｒ）ｋ、ｌにより識別され得る。ここで、ｋ（ｋ＝０、．．．、ＮＲＢ×１２−１）は、周波数領域内の副搬送波インデックスであり、ｌ（ｌ＝０、．．．、６）は、時間領域内のＯＦＤＭシンボルインデックスである。
【００２８】
ここで、１つの資源ブロックは、時間領域で７ＯＦＤＭシンボル、周波数領域で１２副搬送波で構成される７×１２資源要素を含むことを例示的に記述するが、資源ブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）等によって様々に変更され得る。例えば、ノーマルＣＰの場合、ＯＦＤＭシンボルの数は７であり、拡張されたＣＰの場合、ＯＦＤＭシンボルの数は６である。１つのＯＦＤＭシンボルで副搬送波の数は、１２８、２５６、５１２、１０２４、１５３６、及び２０４８のうち１つを選定して使用することができる。
【００２９】
図４は、下向きリンクサブフレームの構造を示す。
【００３０】
下向きリンクサブフレームは、時間領域で２個のスロットを含み、各スロットは、ノーマルＣＰで７個のＯＦＤＭシンボルを含む。サブフレーム内の１番目のスロットの先行する最大３ＯＦＤＭシンボル等（１．４Ｍｈｚ帯域幅に対しては最大４ＯＦＤＭシンボル等）の制御チャネル等が割り当てられる制御領域（ｃｏｎｔｒｏｌ  ｒｅｇｉｏｎ）であり、残りのＯＦＤＭシンボル等は、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域となる。
【００３１】
ＰＤＣＣＨは、ＤＬ−ＳＣＨ（ｄｏｗｎｌｉｎｋ−ｓｈａｒｅｄ  ｃｈａｎｎｅｌ）の資源割当及び伝送フォーマット、ＵＬ−ＳＣＨ（ｕｐｌｉｎｋ  ｓｈａｒｅｄ  ｃｈａｎｎｅｌ）の資源割当情報、ＰＣＨ上のページング情報、ＤＬ−ＳＣＨ上のシステム情報、ＰＤＳＣＨ上に伝送されるランダムアクセス応答のような上位階層制御メッセージの資源割当、任意のＵＥグループ内の個別ＵＥに対する伝送パワー制御命令の集合、及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で伝送され得るし、端末は、複数のＰＤＣＣＨをモニタリングすることができる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に伝送される。ＣＣＥは、無線チャネルの状態に応じる符号化率をＰＤＣＣＨに提供するために使用される論理的割当単位である。ＣＣＥは、複数の資源要素グループ（ｒｅｓｏｕｒｃｅ  ｅｌｅｍｅｎｔ  ｇｒｏｕｐ）に対応する。ＣＣＥの数とＣＣＥ等により提供される符号化率との連関関係によってＰＤＣＣＨのフォーマット及び可能なＰＤＣＣＨのビット数が決定される。
【００３２】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途に応じて固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨであれば、端末の固有識別子、例えば、Ｃ−ＲＮＴＩ（ｃｅｌｌ−ＲＮＴＩ）がＣＲＣにマスキングされ得る。或いは、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報ブロック（ＳＩＢ；ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされ得る。端末のランダムアクセスプリアンブル伝送に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００３３】
図５は、上向きリンクサブフレームの構造を示す。
【００３４】
上向きリンクサブフレームは、周波数領域において制御領域とデータ領域とに分けられることができる。前記制御領域は、上向きリンク制御情報が伝送されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。前記データ領域は、データが伝送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、端末は、ＰＵＳＣＨとＰＵＣＣＨの同時伝送を支援することができる。
【００３５】
１つの端末に対するＰＵＣＣＨは、サブフレームで資源ブロック対（ＲＢ  ｐａｉｒ）で割り当てられる。資源ブロック対に属する資源ブロックは、第１のスロットと第２のスロットの各々で互いに異なる副搬送波を占める。ＰＵＣＣＨに割り当てられる資源ブロック対に属する資源ブロックが占める周波数はスロット境界（ｓｌｏｔ  ｂｏｕｎｄａｒｙ）を基準として変更される。これをＰＵＣＣＨに割り当てられるＲＢ対がスロット境界で周波数がホッピング（ｆｒｅｑｕｅｎｃｙ−ｈｏｐｐｅｄ）されたという。端末が上向きリンク制御情報を時間によって互いに異なる副搬送波を介して伝送することにより、周波数ダイバシティ利得を得ることができる。ｍは、サブフレーム内でＰＵＣＣＨに割り当てられた資源ブロック対の論理的な周波数領域位置を示す位置インデックスである。
【００３６】
ＰＵＣＣＨ上に伝送される上向きリンク制御情報には、ＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、下向きリンクチャネル状態を示すＣＱＩ（ｃｈａｎｎｅｌ  ｑｕａｌｉｔｙ  ｉｎｄｉｃａｔｏｒ）、上向きリンク無線資源割当要請のＳＲ（ｓｃｈｅｄｕｌｉｎｇ  ｒｅｑｕｅｓｔ）などがある。
【００３７】
ＰＵＳＣＨは、伝送チャネル（ｔｒａｎｓｐｏｒｔ  ｃｈａｎｎｅｌ）であるＵＬ−ＳＣＨにマッピングされる。ＰＵＳＣＨ上に伝送される上向きリンクデータは、ＴＴＩの間伝送されるＵＬ−ＳＣＨのためのデータブロックである伝送ブロック（ｔｒａｎｓｐｏｒｔ  ｂｌｏｃｋ）でありうる。前記伝送ブロックは、ユーザ情報でありうる。或いは、上向きリンクデータは、多重化された（ｍｕｌｔｉｐｌｅｘｅｄ）データでありうる。多重化されたデータは、ＵＬ−ＳＣＨのための伝送ブロックと制御情報とが多重化されたものでありうる。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがありうる。或いは、上向きリンクデータは制御情報だけで構成されることもできる。
【００３８】
無線通信システムの性能を向上させるために、ユーザ周辺に接続できるノード（ｎｏｄｅ）の密度を高める方向に技術が進化している。ノードの密度が高い無線通信システムは、ノード間の協力によって性能が一層向上し得る。
【００３９】
図６は、多重ノードシステムの一例を示す。
【００４０】
図６に示すように、多重ノードシステム２０は、１つの基地局２１と複数のノード２５−１、２５−２、２５−３、２５−４、２５−５とで構成されることができる。複数のノード２５−１、２５−２、２５−３、２５−４、２５−５は、１つの基地局２１により管理されることができる。すなわち、複数のノード２５−１、２５−２、２５−３、２５−４、２５−５は、１つのセルの一部のように動作をする。このとき、各ノード２５−１、２５−２、２５−３、２５−４、２５−５は、別のノードＩＤ（ｉｄｅｎｔｉｆｉｅｒ）を割り当てられることができ、或いは、別のノードＩＤ無しでセル内の一部アンテナ集団のように動作することができる。このような場合、図６の多重ノードシステム２０は、１つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）とみなすことができる。
【００４１】
または、複数のノード２５−１、２５−２、２５−３、２５−４、２５−５は、個別的なセルＩＤを有して端末のスケジューリング及びハンドオーバー（ＨＯ；ｈａｎｄｏｖｅｒ）を行うことができる。このような場合、図６の多重ノードシステム２０は、多重セルシステムとみなすことができる。基地局２１は、マクロセル（ｍａｃｒｏ  ｃｅｌｌ）でありうるし、各ノードは、マクロセルのセルカバレッジ（ｃｅｌｌ  ｃｏｖｅｒａｇｅ）より小さなセルカバレッジを有するフェムトセル（ｆｅｍｔｏ  ｃｅｌｌ）またはピコセル（ｐｉｃｏｃｅｌｌ）でありうる。このように、複数のセルがカバレッジによってオーバーレイ（ｏｖｅｒｌａｙ）されて構成される場合、複数階層ネットワーク（ｍｕｌｔｉ−ｔｉｅｒｎｅｔｗｏｒｋ）といえる。
【００４２】
図６において、各ノード２５−１、２５−２、２５−３、２５−４、２５−５は、基地局、Ｎｏｄｅ−Ｂ、ｅＮｏｄｅ−Ｂ、ピコセルｅＮｂ（ｐｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎまたはｒｅｐｅａｔｅｒ）、分散アンテナ（ｄｉｓｔｒｉｂｕｔｅｄ  ａｎｔｅｎｎａ）のうち、いずれか１つになることができる。１つのノードには、少なくとも１つのアンテナが設置され得る。また、ノードは、ポイント（ｐｏｉｎｔ）と呼ばれることができる。以下の明細書においてノードは、ＤＭＮＳから所定の間隔以上離れたアンテナグループを意味する。すなわち、以下の明細書において各ノードは、物理的にＲＲＨを意味すると仮定する。しかし、本発明はこれに制限されず、ノードは、物理的間隔にかかわらず、任意のアンテナグループに定義されることができる。例えば、複数の交差偏光されたアンテナ（ｃｒｏｓｓ  ｐｏｌａｒｉｚｅｄ  ａｎｔｅｎｎａ）で構成された基地局を、水平偏光されたアンテナ（ｈｏｒｉｚｏｎｔａｌ  ｐｏｌａｒｉｚｅｄ  ａｎｔｅｎｎａ）で構成されたノードと垂直偏光されたアンテナ（ｖｅｒｔｉｃａｌ  ｐｏｌａｒｉｚｅｄ  ａｎｔｅｎｎａ）で構成されたノードとからなっているとみなし、本発明を適用することができる。また、本発明は、各ノードが、セルカバレッジがマクロセルに比べて小さいピコセルまたはフェムトセルである場合、すなわち、多重セルシステムでも適用され得る。以下の説明においてアンテナは、物理的なアンテナのみならず、アンテナポート、仮想（ｖｉｒｔｕａｌ）アンテナ、アンテナグループなどに代替され得る。
【００４３】
参照信号について説明する。
【００４４】
参照信号（ＲＳ；ｒｅｆｅｒｅｎｃｅ  ｓｉｇｎａｌ）は一般的にシーケンスに伝送される。参照信号シーケンスは、特別な制限無しで任意のシーケンスが使用され得る。参照信号シーケンスは、ＰＳＫ（ｐｈａｓｅ  ｓｈｉｆｔ  ｋｅｙｉｎｇ）基盤のコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例としては、ＢＰＳＫ（ｂｉｎａｒｙ  ｐｈａｓｅ  ｓｈｉｆｔ  ｋｅｙｉｎｇ）、ＱＰＳＫ（ｑｕａｄｒａｔｕｒｅ  ｐｈａｓｅ  ｓｈｉｆｔ  ｋｅｙｉｎｇ）などがある。または、参照信号シーケンスは、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスを使用することができる。ＣＡＺＡＣシーケンスの例としては、ＺＣ（Ｚａｄｏｆｆ−Ｃｈｕ）基盤シーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例としては、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００４５】
下向きリンク参照信号は、セル特定参照信号（ＣＲＳ；ｃｅｌｌ−ｓｐｅｃｉｆｉｃ  ＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、端末特定参照信号（ＵＥ−ｓｐｅｃｉｆｉｃ  ＲＳ）、ポジショニング参照信号（ＰＲＳ；ｐｏｓｉｔｉｏｎｉｎｇ  ＲＳ）、及びチャネル状態情報（ＣＳＩ；ｃｈａｎｎｅｌ  ｓｔａｔｅ  ｉｎｆｏｒｍａｔｉｏｎ）参照信号（ＣＳＩ−ＲＳ）に区分されることができる。ＣＲＳは、セル内の全ての端末に伝送される参照信号であって、ＣＲＳは、ＣＱＩ（ｃｈａｎｎｅｌ  ｑｕａｌｉｔｙ  ｉｎｄｉｃａｔｏｒ）フィードバックに対するチャネル測定とＰＤＳＣＨに対するチャネル推定に使用され得る。ＭＢＳＦＮ参照信号は、ＭＢＳＦＮ伝送のために割り当てられたサブフレームで伝送され得る。端末特定参照信号は、セル内の特定端末または特定端末グループが受信する参照信号であって、復調参照信号（ＤＭＲＳ；ｄｅｍｏｄｕｌａｔｉｏｎ  ＲＳ）と呼ばれることができる。ＤＭＲＳは、特定端末または特定端末グループがデータ復調に主に使用される。ＰＲＳは、端末の位置推定に使用され得る。ＣＳＩ−ＲＳは、ＬＴＥ−Ａ端末のＰＤＳＣＨに対するチャネル推定に使用される。ＣＳＩ−ＲＳは、周波数領域または時間領域で比較的希薄に（ｓｐａｒｓｅ）配置され、一般サブフレームまたはＭＢＳＦＮサブフレームのデータ領域では省略（ｐｕｎｃｔｕｒｅｄ）され得る。ＣＳＩの推定を介して、必要な場合にＣＱＩ、ＰＭＩ、及びＲＩなどが端末から報告され得る。
【００４６】
ＣＲＳは、ＰＤＳＣＨ伝送を支援するセル内の全ての下向きリンクサブフレームで伝送される。ＣＲＳは、アンテナポート０〜３上に伝送されることができ、ＣＲＳは、Δｆ＝１５ｋｈｚに対してのみ定義され得る。ＣＳＩ−ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）」の６．１０．１節を参照することができる。
【００４７】
図７〜図９は、ＣＲＳがマッピングされるＲＢの一例を示す。
【００４８】
図７は、基地局が１つのアンテナポートを使用する場合、図８は、基地局が２個のアンテナポートを使用する場合、図９は、基地局が４個のアンテナポートを使用する場合にＣＲＳがＲＢにマッピングされるパターンの一例を示す。また、上記のＣＲＳパターンは、ＬＴＥ−Ａの特徴を支援するために使用されることもできる。例えば、協力的多重地点（ＣｏＭＰ；ｃｏｏｒｄｉｎａｔｅｄ  ｍｕｌｔｉ−ｐｏｉｎｔ）伝送受信技法または空間多重化（ｓｐａｔｉａｌ  ｍｕｌｔｉｐｌｅｘｉｎｇ）などの特徴を支援するために使用されることができる。また、ＣＲＳは、チャネル品質測定、ＣＰ検出、時間／周波数同期化などの用途で使用され得る。
【００４９】
図７〜９に示すように、基地局が複数のアンテナポートを使用する多重アンテナ伝送である場合、アンテナポート毎に１つの資源グリッドがある。「Ｒ０」は、第１のアンテナポートに対する参照信号、「Ｒ１」は、第２のアンテナポートに対する参照信号、「Ｒ２」は、第３のアンテナポートに対する参照信号、「Ｒ３」は、第４のアンテナポートに対する参照信号を示す。Ｒ０〜Ｒ３のサブフレーム内の位置は互いに重複しない。ｌは、スロット内のＯＦＤＭシンボルの位置であって、ノーマルＣＰでｌは、０〜６の間の値を有する。１つのＯＦＤＭシンボルで各アンテナポートに対する参照信号は６副搬送波間隔で位置する。サブフレーム内のＲ０の数とＲ１の数とは同一であり、Ｒ２の数とＲ３の数とは同一である。サブフレーム内のＲ２、Ｒ３の数はＲ０、Ｒ１の数より少ない。１つのアンテナポートの参照信号に使用された資源要素は、他のアンテナの参照信号に使用されない。これは、アンテナポート間の干渉を与えないためである。
【００５０】
ＣＲＳは、ストリームの個数に関係なく、常にアンテナポートの個数の分だけ伝送される。ＣＲＳは、アンテナポート毎に独立的な参照信号を有する。ＣＲＳのサブフレーム内の周波数領域の位置及び時間領域の位置は端末に関係なく決められる。ＣＲＳに乗算されるＣＲＳシーケンスも端末に関係なく生成される。したがって、セル内の全ての端末はＣＲＳを受信することができる。ただし、ＣＲＳのサブフレーム内の位置及びＣＲＳシーケンスは、セルＩＤによって決められることができる。ＣＲＳのサブフレーム内の時間領域内の位置は、アンテナポートの番号、資源ブロック内のＯＦＤＭシンボルの個数によって決められることができる。ＣＲＳのサブフレーム内の周波数領域の位置は、アンテナの番号、セルＩＤ、ＯＦＤＭシンボルインデックス（ｌ）、無線フレーム内のスロット番号などによって決められることができる。
【００５１】
２次元（ｔｗｏ−ｄｉｍｅｎｓｉｏｎ）のＣＲＳシーケンスは、２次元直交シーケンス（ｏｒｔｈｏｇｏｎａｌ  ｓｅｑｕｅｎｃｅ）と２次元擬似任意シーケンス（ｐｓｅｕｄｏ−ｒａｎｄｏｍ  ｓｅｑｕｅｎｃｅ）とのシンボル間の乗算で生成されることができる。３個の互いに異なる２次元直交シーケンスと１７０個の互いに異なる２次元擬似任意シーケンスとが存在できる。各セルＩＤは、１つの直交シーケンスと１つの擬似任意シーケンスとの唯一の組み合わせに対応する。また、周波数ホッピング（ｆｒｅｑｕｅｎｃｙ  ｈｏｐｐｉｎｇ）がＣＲＳに適用され得る。周波数ホッピングパターンは、１つの無線フレーム（１０ｍｓ）を周期とすることができ、各周波数ホッピングパターンは、１つのセルＩＤグループに対応する。
【００５２】
ＰＤＳＣＨ伝送を支援する搬送波（ｃａｒｒｉｅｒ）上の無線フレーム内で少なくとも１つの下向きリンクサブフレームが上位階層（ｈｉｇｈｅｒ  ｌａｙｅｒ）によってＭＢＳＦＮサブフレームで構成されることができる。各ＭＢＳＦＮサブフレームは、非−ＭＢＳＦＮ領域とＭＢＳＦＮ領域とに分けられることができる。非−ＭＢＳＦＮ領域は、ＭＢＳＦＮサブフレーム内で最初の１個または２個のＯＦＤＭシンボルを占めることができる。非−ＭＢＳＦＮ領域での伝送は、無線フレーム内の第１のサブフレーム（サブフレーム＃０）で使用されるものと同様なＣＰに基づいて行われることができる。ＭＢＳＦＮ領域は、非−ＭＢＳＦＮ領域として使用されないＯＦＤＭシンボル等で定義されることができる。ＭＢＳＦＮ参照信号は、ＰＭＣＨ（ｐｈｙｓｉｃａｌ  ｍｕｌｔｉｃａｓｔ  ｃｈａｎｎｅｌ）が伝送される場合にのみ伝送され、アンテナポート４上に伝送される。ＭＢＳＦＮ参照信号は、拡張ＣＰのみで定義され得る。
【００５３】
ＤＭＲＳは、ＰＤＳＣＨ伝送のために支援され、アンテナポートのｐ＝５、ｐ＝７、８、またはｐ＝７、８、．．．、ｖ＋６上に伝送される。このとき、ｖは、ＰＤＳＣＨ伝送に使用されるレイヤーの個数を示す。ＤＭＲＳは、集合Ｓ内にあるいずれか１つのアンテナポート上に１つの端末で伝送される。このとき、Ｓ＝｛７、８、１１、１３｝またはＳ＝｛９、１０、１２、１４｝である。ＤＭＲＳは、ＰＤＳＣＨの伝送が対応するアンテナポートと関連する（ａｓｓｏｃｉａｔｅｄ）場合にのみＰＤＳＣＨの復調のために存在し、有効である。ＤＭＲＳは、対応するＰＤＳＣＨがマッピングされたＲＢのみで伝送される。ＤＭＲＳは、アンテナポートに関係なく物理チャネルまたは物理信号のうち、いずれか１つが伝送される資源要素では伝送されない。ＤＭＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」の６．１０．３節を参照することができる。
【００５４】
図１０は、ＤＭＲＳがマッピングされるＲＢの一例を示す。
【００５５】
図１０は、ノーマルＣＰ構造でＤＭＲＳのために使用される資源要素を示す。Ｒｐは、アンテナポートｐ上のＤＭＲＳ伝送に使用される資源要素を示す。例えば、Ｒ５は、アンテナポート５に対するＤＭＲＳが伝送される資源要素を指示する。また、図１０に示すように、アンテナポート７及び８に対するＤＭＲＳは、各スロットの６番目及び７番目のＯＦＤＭシンボル（ＯＦＤＭシンボルインデックス５、６）の１番目、６番目、及び１１番目の副搬送波（副搬送波インデックス０、５、１０）に該当する資源要素を介して伝送される。アンテナポート７及び８に対するＤＭＲＳは、長さ２の直交シーケンスによって区分されることができる。アンテナポート９及び１０に対するＤＭＲＳは、各スロットの６番目及び７番目のＯＦＤＭシンボル（ＯＦＤＭシンボルインデックス５、６）の２番目、７番目、及び１２番目の副搬送波（副搬送波インデックス１、６、１１）に該当する資源要素を介して伝送される。アンテナポート９及び１０に対するＤＭＲＳは、長さ２の直交シーケンスによって区分されることができる。また、Ｓ＝｛７、８、１１、１３｝またはＳ＝｛９、１０、１２、１４｝であるから、アンテナポート１１及び１３に対するＤＭＲＳは、アンテナポート７及び８に対するＤＭＲＳがマッピングされる資源要素にマッピングされ、アンテナポート１２及び１４に対するＤＭＲＳは、アンテナポートポート９及び１０に対するＤＭＲＳがマッピングされる資源要素にマッピングされる。
【００５６】
ＣＳＩ−ＲＳは、１個、２個、４個、または８個のアンテナポートを介して伝送される。このときに使用されるアンテナポートは、各々ｐ＝１５、ｐ＝１５、１６、ｐ＝１５、．．．、１８、及びｐ＝１５、．．．、２２である。ＣＳＩ−ＲＳは、Δｆ＝１５ｋＨｚに対してのみ定義され得る。ＣＳＩ−ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」の６．１０．５節を参照することができる。
【００５７】
ＣＳＩ−ＲＳの伝送において、異種ネットワーク（ＨｅｔＮｅｔ；ｈｅｔｅｒｏｇｅｎｅｏｕｓ  ｎｅｔｗｏｒｋ）環境を含んでマルチセル環境でセル間干渉（ＩＣＩ；ｉｎｔｅｒ−ｃｅｌｌ  ｉｎｔｅｒｆｅｒｅｎｃｅ）を減らすために、最大３２個の互いに異なる構成（ｃｏｎｆｉｇｕｒａｔｉｏｎ）が提案され得る。ＣＳＩ−ＲＳ構成は、セル内のアンテナポートの個数及びＣＰによって互いに異なり、隣接したセルは、できる限り異なる構成を有することができる。また、ＣＳＩ−ＲＳ構成は、フレーム構造によってＦＤＤフレームとＴＤＤフレームとに全て適用する場合と、ＴＤＤフレームにのみ適用する場合とに分けられることができる。１つのセルで複数のＣＳＩ−ＲＳ構成が使用され得る。非ゼロ出力（ｎｏｎ−ｚｅｒｏ  ｐｏｗｅｒ）ＣＳＩ−ＲＳを仮定する端末に対して０個または１個のＣＳＩ−ＲＳ構成が、ゼロ出力（ｚｅｒｏ  ｐｏｗｅｒ）ＣＳＩ−ＲＳを仮定する端末に対して０個または複数個のＣＳＩ−ＲＳ構成が使用され得る。ゼロ出力ＣＳＩ−ＲＳは、端末が干渉を測定するために使用され得る。基地局は、ゼロ出力ＣＳＩ−ＲＳに対応する資源要素を空け、端末は、当該資源要素で干渉を測定することができる。
【００５８】
ＣＳＩ−ＲＳ構成は、上位階層により指示され得る。上位階層を介して伝送されるＣＳＩ−ＲＳ−Ｃｏｎｆｉｇ  ＩＥ（ｉｎｆｏｒｍａｔｉｏｎ  ｅｌｅｍｅｎｔ）がＣＳＩ−ＲＳ構成を指示できる。表１は、ＣＳＩ−ＲＳ−Ｃｏｎｆｉｇ  ＩＥの一例を示す。
【００５９】
【表１】
0005766881.tif 000004
表１に示すように、ＣＳＩ−ＲＳ−ｃｏｎｆｉｇ  ＩＥは、チャネル測定用ＣＳＩ−ＲＳ構成を指示するｃｓｉ−ＲＳ  ＩＥを含む。ＡｎｔｅｎｎａＰｏｒｔｓＣｏｕｎｔパラメータは、ＣＳＩ−ＲＳの伝送のために使用されるアンテナポートの個数を指示する。ｒｅｓｏｕｒｃｅＣｏｎｆｉｇパラメータは、チャネル測定用ＣＳＩ−ＲＳ構成を指示する。ＳｕｂｆｒａｍｅＣｏｎｆｉｇパラメータ及びｚｅｒｏＴｘＰｏｗｅｒＳｕｂｆｒａｍｅＣｏｎｆｉｇパラメータは、チャネル測定用ＣＳＩ−ＲＳが伝送されるサブフレーム構成を指示する。
【００６０】
また、ＣＳＩ−ＲＳ−ｃｏｎｆｉｇ  ＩＥは、干渉測定に使用されるゼロ出力ＣＳＩ−ＲＳ構成を指示するｚｅｒｏＴｘＰｏｗｅｒＣＳＩ−ＲＳ  ＩＥを含む。ＺｅｒｏＴｘＰｏｗｅｒＲｅｓｏｕｒｃｅＣｏｎｆｉｇＬｉｓｔパラメータは、ゼロ出力ＣＳＩ−ＲＳの構成を指示する。ＺｅｒｏＴｘＰｏｗｅｒＲｅｓｏｕｒｃｅＣｏｎｆｉｇＬｉｓｔパラメータを構成する１６ビットのビットマップ（ｂｉｔｍａｐ）で１に設定されたビットに対応するＣＳＩ−ＲＳ構成がゼロ出力ＣＳＩ−ＲＳに設定され得る。より具体的に、ｚｅｒｏＴｘＰｏｗｅｒＲｅｓｏｕｒｃｅＣｏｎｆｉｇＬｉｓｔパラメータを構成するビットマップのＭＳＢ（ｍｏｓｔ  ｓｉｇｎｉｆｉｃａｎｔ  ｂｉｔ）が表２及び表３における構成されるＣＳＩ−ＲＳの個数が４個である場合において１番目のＣＳＩ−ＲＳ構成インデックスに対応する。ＺｅｒｏＴｘＰｏｗｅｒＲｅｓｏｕｒｃｅＣｏｎｆｉｇＬｉｓｔパラメータを構成するビットマップの繋がるビットは、表２及び表３における構成されるＣＳＩ−ＲＳの個数が４個である場合においてＣＳＩ−ＲＳ構成インデックスが増加する方向に対応する。表２は、ノーマルＣＰでのＣＳＩ−ＲＳの構成を、表３は、拡張ＣＰでのＣＳＩ−ＲＳの構成を示す。
【００６１】
【表２】
0005766881.tif 000005
【００６２】
【表３】
0005766881.tif 000006
表２に示すように、ｚｅｒｏＴｘＰｏｗｅｒＲｅｓｏｕｒｃｅＣｏｎｆｉｇＬｉｓｔパラメータを構成するビットマップの各ビットがＭＳＢからＣＳＩ−ＲＳ構成インデックス０、１、２、３、４、５、６、７、８、９、２０、２１、２２、２３、２４、及び２５に対応する。表３に示すように、ｚｅｒｏＴｘＰｏｗｅｒＲｅｓｏｕｒｃｅＣｏｎｆｉｇＬｉｓｔパラメータを構成するビットマップの各ビットがＭＳＢからＣＳＩ−ＲＳ構成インデックス０、１、２、３、４、５、６、７、１６、１７、１８、１９、２０、及び２１に対応する。端末は、ゼロ出力ＣＳＩ−ＲＳに設定されたＣＳＩ−ＲＳ構成インデックスに対応する資源要素をゼロ出力ＣＳＩ−ＲＳのための資源要素と仮定することができる。ただし、上位階層によって非ゼロ出力ＣＳＩ−ＲＳのための資源要素と設定される資源要素は、ゼロ出力ＣＳＩ−ＲＳのための資源要素から除外され得る。
【００６３】
端末は、表２及び表３において、ｎｓ  ｍｏｄ２の条件を満たす下向きリンクスロットのみでＣＳＩ−ＲＳを伝送することができる。また、端末は、ＴＤＤフレームの特殊サブフレーム（ｓｐｅｃｉａｌ  ｓｕｂｆｒａｍｅ）、ＣＳＩ−ＲＳの伝送が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（ＳｙｓｔｅｍＩｎｆｏｒｍａｔｉｏｎＢｌｏｃｋＴｙｐｅ１）と衝突するサブフレームまたはページングメッセージが伝送されるサブフレームではＣＳＩ−ＲＳを伝送しない。また、Ｓ＝｛１５｝、Ｓ＝｛１５、１６｝、Ｓ＝｛１７、１８｝、Ｓ＝｛１９、２０｝、またはＳ＝｛２１、２２｝の集合Ｓで、１つのアンテナポートのＣＳＩ−ＲＳが伝送される資源要素は、ＰＤＳＣＨや他のアンテナポートのＣＳＩ−ＲＳの伝送に使用されない。
【００６４】
表４は、ＣＳＩ−ＲＳが伝送されるサブフレーム構成の一例を示す。
【００６５】
【表４】
0005766881.tif 000007
表４に示すように、ＣＳＩ−ＲＳサブフレーム構成（ＩＣＳＩ−ＲＳ）によってＣＳＩ−ＲＳが伝送されるサブフレームの周期（ＴＣＳＩ−ＲＳ）及びオフセット（ΔＣＳＩ−ＲＳ）が決定され得る。表４のＣＳＩ−ＲＳサブフレーム構成は、表１のＣＳＩ−ＲＳ−Ｃｏｎｆｉｇ  ＩＥのＳｕｂｆｒａｍｅＣｏｎｆｉｇパラメータまたはｚｅｒｏＴｘＰｏｗｅｒＳｕｂｆｒａｍｅＣｏｎｆｉｇパラメータのうち、いずれか１つでありうる。ＣＳＩ−ＲＳサブフレーム構成は、非ゼロ出力ＣＳＩ−ＲＳ及びゼロ出力ＣＳＩ−ＲＳに対して分離されて（ｓｅｐａｒａｔｅｌｙ）構成され得る。一方、ＣＳＩ−ＲＳを伝送するサブフレームは、数式１を満たす必要がある。
【００６６】
【数１】
0005766881.tif 000008
図１１は、ＣＳＩ−ＲＳがマッピングされるＲＢの一例を示す。
【００６７】
図１１は、ノーマルＣＰ構造でＣＳＩ−ＲＳ構成インデックスが０であるとき、ＣＳＩ−ＲＳのために使用される資源要素を示す。Ｒｐは、アンテナポートｐ上のＣＳＩ−ＲＳ伝送に使用される資源要素を示す。図１１に示すように、アンテナポート１５及び１６に対するＣＳＩ−ＲＳは、第１のスロットの６番目及び７番目のＯＦＤＭシンボル（ＯＦＤＭシンボルインデックス５、６）の３番目の副搬送波（副搬送波インデックス２）に該当する資源要素を介して伝送される。アンテナポート１７及び１８に対するＣＳＩ−ＲＳは、第１のスロットの６番目及び７番目のＯＦＤＭシンボル（ＯＦＤＭシンボルインデックス５、６）の９番目の副搬送波（副搬送波インデックス８）に該当する資源要素を介して伝送される。アンテナポート１９及び２０に対するＣＳＩ−ＲＳは、アンテナポート１５及び１６に対するＣＳＩ−ＲＳが伝送される同じ資源要素を介して伝送され、アンテナポート２１及び２２に対するＣＳＩ−ＲＳは、アンテナポート１７及び１８に対するＣＳＩ−ＲＳが伝送される同じ資源要素を介して伝送される。
【００６８】
表５は、端末のＣＱＩ報告を構成するＣＱＩ−ＲｅｐｏｒｔＣｏｎｆｉｇ  ＩＥの一例を示す。ＣＱＩ−ＲｅｐｏｒｔＣｏｎｆｉｇ  ＩＥは、上位階層を介して伝送されることができる。
【００６９】
【表５】
0005766881.tif 000009
表５において、ｐｍｉ−ＲＩ−Ｒｅｐｏｒｔパラメータは、ＰＭＩ及び／又はＲＩ報告可否を指示する。Ｐｍｉ−ＲＩ−Ｒｅｐｏｒｔパラメータは、端末の伝送モードが伝送モード８または伝送モード９に設定された場合にのみ構成されることができる。Ｐｍｉ−ＲＩ−Ｒｅｐｏｒｔパラメータが上位階層により構成され、端末の伝送モード（ｔｒａｎｓｍｉｓｓｉｏｎ  ｍｏｄｅ）が伝送モード９である場合、端末は、ＣＱＩを計算するためのチャネル測定値をＣＳＩ−ＲＳのみに基づいて得ることができる。Ｐｍｉ−ＲＩ−Ｒｅｐｏｒｔパラメータが上位階層により構成されないか、端末の伝送モードが他の伝送モードである場合、端末は、ＣＱＩを計算するためのチャネル測定値をＣＲＳに基づいて得ることができる。
【００７０】
また、表５のｃｓｉ−ＳｕｂｆｒａｍｅＰａｔｔｅｒｎＣｏｎｆｉｇフィールド内に２個のサブフレーム集合（ｓｕｂｆｒａｍｅ  ｓｅｔ）に対して２個のＭｅａｓＳｕｂｆｒａｍｅＰａｔｔｅｒｎ  ＩＥが２個存在する。すなわち、２個のサブフレーム集合に対して別個にＣＳＩを測定することができる。例えば、２個のサブフレーム集合は、各々ＡＢＳ（ａｌｍｏｓｔ  ｂｌａｎｋ  ｓｕｂｒｆｒａｍｅ）サブフレーム集合と一般サブフレーム集合でありうる。
【００７１】
表６は、表５のＣＱＩ−ＲｅｐｏｒｔＣｏｎｆｉｇ  ＩＥに含まれるＣＱＩ−ＲｅｐｏｒｔＡｐｅｒｉｏｄｉｃ  ＩＥの一例を示す。ＣＱＩ−ＲｅｐｏｒｔＡｐｅｒｉｏｄｉｃ  ＩＥは、非周期的ＣＱＩ報告を構成する。
【００７２】
【表６】
0005766881.tif 000010
表６において、ｃｑｉ−ＲｅｐｏｒｔＭｏｄｅＡｐｅｒｉｏｄｉｃパラメータは、ＣＱＩ報告モードを指示する。ＡｐｅｒｉｏｄｉｃＣＳＩ−Ｔｒｉｇｇｅｒパラメータは、１つ以上の２次セル（ＳＣｅｌｌ；ｓｅｃｏｎｄａｒｙ  ｃｅｌｌ）が構成される場合、いずれのサービングセル（ｓｅｒｖｉｎｇ  ｃｅｌｌ）に対して非周期的ＣＳＩ報告がトリガリングされるかを指示する。
【００７３】
表７は、表５のＣＱＩ−ＲｅｐｏｒｔＣｏｎｆｉｇ  ＩＥに含まれるＣＱＩ−ＲｅｐｏｒｔＰｅｒｉｏｄｉｃ  ＩＥの一例を示す。ＣＱＩ−ＲｅｐｏｒｔＰｅｒｉｏｄｉｃ  ＩＥは周期的ＣＱＩ報告を構成する。
【００７４】
【表７】
0005766881.tif 000011
表８は、表５のＣＱＩ−ＲｅｐｏｒｔＣｏｎｆｉｇ  ＩＥに含まれるＭｅａｓＳｕｂｆｒａｍｅＰａｔｔｅｒｎ  ＩＥの一例を示す。ＭｅａｓＳｕｂｆｒａｍｅＰａｔｔｅｒｎ  ＩＥは、時間領域で測定資源の制限（ｍｅａｓｕｒｅｍｅｎｔ  ｒｅｓｏｕｒｃｅ  ｒｅｓｔｒｉｃｔｉｏｎ）を指示する。
【００７５】
【表８】
0005766881.tif 000012
前述したように、ＣＳＩの測定は、ＣＳＩ−ＲＳに基づくか、ＣＲＳに基づくかが上位階層を介して指示され得るし、２個のサブフレーム集合に対して別個にＣＳＩを測定することができる。
【００７６】
一方、分散多重ノードシステムにおいて、セル内の複数のノードが同一のセルＩＤを使用する。したがって、複数のノードは、複数のＣＳＩ−ＲＳ構成に基づいてチャネルを推定し、信号を伝送または受信することができる。端末は、ＣＳＩ−ＲＳ構成を指示するＩＥであるＣＳＩ−ＲＳ−Ｃｏｎｆｉｇ  ＩＥ等を介して複数のノードからの複数のＣＳＩ−ＲＳ構成に対応する資源要素をモニタリングする。また、端末は、チャネル状態に応じて複数のＣＳＩ−ＲＳ構成に対応する資源要素のうち、一部資源要素に基づいてデータを伝送または受信することができる。以下の説明において、端末がモニタリングする複数のＣＳＩ−ＲＳ構成を第１のＣＳＩ−ＲＳ集合といい、端末が実際にデータを伝送または受信するのに基盤となるＣＳＩ−ＲＳ構成を第２のＣＳＩ−ＲＳ集合という。第２のＣＳＩ−ＲＳ集合は、第１のＣＳＩ−ＲＳ集合の部分集合でありうる。端末は、第２のＣＳＩ−ＲＳ集合に基づいてチャネルを推定し、データを伝送または受信することができる。基地局は、端末に第２のＣＳＩ−ＲＳ集合を指示することができる。または、端末は、第２のＣＳＩ−ＲＳ集合を任意に指定し、該当するＣＳＩ−ＲＳ構成を基地局に知らせることができる。
【００７７】
図１２は、第１のＣＳＩ−ＲＳ集合と第２のＣＳＩ−ＲＳ集合の構成の一例を示す。
【００７８】
図１２に示すように、第１のＣＳＩ−ＲＳ集合は、ＣＳＩ−ＲＳ構成１、ＣＳＩ−ＲＳ構成２、及びＣＳＩ−ＲＳ構成３を含む。その他のＣＳＩ−ＲＳ構成で測定された総干渉はＩＳＥＴ１として表現する。Ｈ１、Ｈ２及びＨ３は、各々ＣＳＩ−ＲＳ構成１、ＣＳＩ−ＲＳ構成２、及びＣＳＩ−ＲＳ構成３に対応するチャネルを示す。端末は、第１のＣＳＩ−ＲＳ集合に属するＣＳＩ−ＲＳ構成をモニタリングすることができる。第２のＣＳＩ−ＲＳ集合は、ＣＳＩ−ＲＳ構成１及びＣＳＩ−ＲＳ構成３を含む。その他のＣＳＩ−ＲＳ構成で測定された総干渉はＩＳＥＴ２として表現する。すなわち、ＩＳＥＴ２は、ＩＳＥＴ１とＣＳＩ−ＲＳ構成２で測定された干渉を含む。端末は、第２のＣＳＩ−ＲＳ集合に属するＣＳＩ−ＲＳ構成に基づいてデータを伝送または受信することができる。
【００７９】
端末は、第１のＣＳＩ−ＲＳ集合または第２のＣＳＩ−ＲＳ集合を決定するために基地局にチャネル状態をフィードバックしなければならず、端末は、チャネル状態に応じて互いに異なるＣＳＩ−ＲＳ構成で測定されたチャネルを干渉としてみなすことができる。例えば、端末は、第２のＣＳＩ−ＲＳ集合を除いた残りのＣＳＩ−ＲＳ構成で測定されたチャネルを干渉としてみなすことができる。すなわち、端末は、自分のデータ伝送または受信のためのＣＳＩ−ＲＳ構成以外の全てのＣＳＩ−ＲＳ構成で測定されたチャネルを干渉としてみなすことができる。または、端末は、第１のＣＳＩ−ＲＳ集合を除いた全てのＣＳＩ−ＲＳ構成で測定されたチャネルを干渉としてみなすことができる。第２のＣＳＩ−ＲＳ集合に属するＣＳＩ−ＲＳ構成がチャネル状態に応じて変化する可能性があるので、第２のＣＳＩ−ＲＳ集合に属する可能性がある全てのＣＳＩ−ＲＳ構成、すなわち、第１のＣＳＩ−ＲＳ集合を除いた残りのＣＳＩ−ＲＳ構成で測定されたチャネルを干渉としてみなすことができる。
【００８０】
以下、本発明によるゼロ出力ＣＳＩ−ＲＳ構成に基づいて干渉を測定する方法を提案する。
【００８１】
１）基地局は、端末にＣＳＩ−ＲＳ集合内の互いに異なるＣＳＩ−ＲＳ構成をＣＳＩ−ＲＳ集合に対応する各ノードを介して各々端末に指示する。また、基地局は、同じゼロ出力ＣＳＩ−ＲＳ構成を前記ＣＳＩ−ＲＳ集合に対応する各ノードを介して端末に指示することができる。したがって、端末は、前記基地局が指示する互いに異なるＣＳＩ−ＲＳ構成に対する総干渉を測定することができる。また、指示されたＣＳＩ−ＲＳ構成に対応する各チャネルが分かるので、各ＣＳＩ−ＲＳ構成に対する干渉も測定することができる。
【００８２】
例えば、基地局は、第１のＣＳＩ−ＲＳ集合に属するＣＳＩ−ＲＳ構成を第１のＣＳＩ−ＲＳ集合に対応する各ノードを介して端末に指示する。また、基地局は、同じゼロ出力ＣＳＩ−ＲＳ構成を前記第１のＣＳＩ−ＲＳ集合に対応する各ノードを介して指示することができる。すなわち、第１のＣＳＩ集合に対応する基地局の各ノードは、表１のＣＳＩ−ＲＳ−Ｃｏｎｆｉｇ  ＩＥでＣＳＩ−ＲＳ構成パラメータ（ｒｅｓｏｕｒｃｅＣｏｎｆｉｇ）を介してＣＳＩ−ＲＳ構成を指示し、ゼロ出力ＣＳＩ−ＲＳ構成パラメータ（ｚｅｒｏＴｘＰｏｗｅｒＲｅｓｏｕｒｃｅＣｏｎｆｉｇＬｉｓｔ）を介してゼロ出力ＣＳＩ−ＲＳ構成を指示することができる。端末は、指示されたゼロ出力ＣＳＩ−ＲＳ構成に基づいて第１のＣＳＩ−ＲＳ集合に対する総干渉ＩＳＥＴ１を測定することができる。また、第１のＣＳＩ−ＲＳ集合内のＣＳＩ−ＲＳ構成によって各ＣＳＩ−ＲＳ構成に対応するチャネルＨ１、Ｈ２、Ｈ３を測定することができる。第２のＣＳＩ−ＲＳ集合に対する総干渉ＩＳＥＴ２を測定するためには、第１のＣＳＩ−ＲＳ集合に属し、第２のＣＳＩ−ＲＳ集合に属しないＣＳＩ−ＲＳ構成に対する干渉を第１のＣＳＩ−ＲＳ集合に対する干渉に加えて計算することができる。すなわち、第２のＣＳＩ−ＲＳ集合に対する総干渉は、数式２により計算され得る。
【００８３】
【数２】
0005766881.tif 000013
図１３は、提案された干渉測定方法により構成されるゼロ出力ＣＳＩ−ＲＳの一例を示す。
【００８４】
図１３に示すように、第１のＣＳＩ−ＲＳ集合内のＣＳＩ−ＲＳ構成１、ＣＳＩ−ＲＳ構成２、及びＣＳＩ−ＲＳ構成３が第１のＣＳＩ−ＲＳ集合に対応する基地局の各ノードを介して端末に指示され、同じゼロ出力ＣＳＩ−ＲＳ構成が前記第１のＣＳＩ集合に対応する基地局の各ノードを介して指示される。これにより、端末は、第１のＣＳＩ−ＲＳ集合に対する干渉を測定することができる。また、端末は、数式２により第２のＣＳＩ−ＲＳ集合に対する干渉を測定することができる。
【００８５】
２）または、基地局は、干渉測定を所望するＣＳＩ−ＲＳ構成に対して各々ゼロ出力ＣＳＩ−ＲＳ構成を指示することができる。
【００８６】
例えば、基地局は、第１のＣＳＩ−ＲＳ集合に属するＣＳＩ−ＲＳ構成を第１のＣＳＩ−ＲＳ集合に対応する各ノードを介して端末に指示し、同じ第１のゼロ出力ＣＳＩ−ＲＳ構成を前記第１のＣＳＩ−ＲＳ集合に対応する各ノードを介して指示することができる。これにより、第１のＣＳＩ−ＲＳ集合に対する総干渉ＩＳＥＴ１を測定することができる。また、基地局は、同じ第２のゼロ出力ＣＳＩ−ＲＳ構成を第２のＣＳＩ−ＲＳ集合に対応する各ノードを介して指示することができる。これにより、第２のＣＳＩ−ＲＳ集合に対する総干渉ＩＳＥＴ２を測定することができる。これにより、端末は、第１のＣＳＩ−ＲＳ集合に対する干渉と第２のＣＳＩ−ＲＳ集合に対する干渉とを簡単に測定することができる。しかし、ゼロ出力ＣＳＩ−ＲＳ構成を何回も指示しなければならないシグナリングオーバーヘッド（ｓｉｇｎａｌｉｎｇ  ｏｖｅｒｈｅａｄ）が生じる可能性がある。
【００８７】
図１４は、提案された干渉測定方法により構成されるゼロ出力ＣＳＩ−ＲＳのさらに他の例を示す。
【００８８】
図１４に示すように、第１のＣＳＩ−ＲＳ集合内のＣＳＩ−ＲＳ構成１、ＣＳＩ−ＲＳ構成２、及びＣＳＩ−ＲＳ構成３が第１のＣＳＩ−ＲＳ集合に対応する基地局の各ノードを介して端末に指示され、同じ第１のゼロ出力ＣＳＩ−ＲＳ構成が第１のＣＳＩ−ＲＳ集合に対応する基地局の各ノードを介して指示される。これにより、端末は、第１のＣＳＩ−ＲＳ集合に対する干渉を測定することができる。また、同じ第２のゼロ出力ＣＳＩ−ＲＳ構成が第１のＣＳＩ−ＲＳ構成及び第３のＣＳＩ−ＲＳ構成を含む第２のＣＳＩ−ＲＳ集合に対応する基地局の各ノードを介して指示される。これにより、端末は、第２のＣＳＩ−ＲＳ集合に対する干渉を測定することができる。
【００８９】
以上の説明において基地局が複数のＣＳＩ−ＲＳ構成を端末に指示するために、複数のＣＳＩ−ＲＳ構成ＩＥ（ＣＳＩ−ＲＳ−Ｃｏｎｆｉｇ  ＩＥ）を端末に伝送したり、新しいＣＳＩ−ＲＳ構成ＩＥを定義して１つのＩＥを端末に伝送することができる。基地局が複数のＣＳＩ−ＲＳ構成ＩＥを伝送する場合、干渉測定の用途として使用されるゼロ出力ＣＳＩ−ＲＳ構成が定義される必要がある。また、新しいＣＳＩ−ＲＳ構成ＩＥが定義される場合、干渉測定の用途として使用されるゼロ出力ＣＳＩ−ＲＳ構成が定義される必要があり、複数のＣＳＩ−ＲＳ構成が１つのＩＥ内に含まれる必要がある。また、複数のゼロ出力ＣＳＩ−ＲＳ構成が必要でありうる。
【００９０】
表９は、複数のＣＳＩ−ＲＳ構成のために新しく定義されるＣＳＩ−ＲＳ構成ＩＥの一例を示す。表９は、ＣＳＩ−ＲＳ構成の一例であり、表９に説明されたフィールドまたはパラメータは省略され得るし、表９に説明されていないフィールドまたはパラメータがＣＳＩ−ＲＳ構成ＩＥに含まれることもできる。
【００９１】
【表９】
0005766881.tif 000014
図１５は、提案される干渉測定方法の一実施形態を示す。
【００９２】
ステップＳ１００で端末は、基地局から複数のＣＳＩ−ＲＳ構成を基地局の複数のノードを介して受信する。ステップＳ１１０で端末は、同じゼロ出力ＣＳＩ−ＲＳ構成を基地局の複数のノードを介して受信する。ステップＳ１２０で端末は、前記ゼロ出力ＣＳＩ−ＲＳ構成に基づいて前記複数のＣＳＩ−ＲＳ構成に対する干渉を測定する。
【００９３】
端末は、干渉の種類に応じて基地局にフィードバックを様々に行うことができる。端末は、第１のＣＳＩ−ＲＳ集合に対する干渉を測定し、これにより、チャネルを計算してＣＱＩをフィードバックすることができる。または、端末は、第２のＣＳＩ−ＲＳ集合に対する干渉を測定し、これにより、チャネルを計算してＣＱＩをフィードバックすることができる。または、端末は、第１のＣＳＩ−ＲＳ集合及び第２のＣＳＩ−ＲＳ集合に対する干渉を全て測定し、これにより、チャネルを計算してＣＱＩをフィードバックすることができる。または、端末は、基地局の指示にしたがって第１のＣＳＩ−ＲＳ集合または第２のＣＳＩ−ＲＳ集合のうち、いずれか１つに対する干渉を測定し、これにより、チャネルを計算してＣＱＩをフィードバックすることができる。または、端末は、任意に第１のＣＳＩ−ＲＳ集合または第２のＣＳＩ−ＲＳ集合のうち、いずれか１つに対する干渉を測定し、これにより、チャネルを計算してＣＱＩをフィードバックすることができる。このとき、端末は、あるＣＳＩ−ＲＳ集合に対する干渉を測定してＣＱＩをフィードバックしたかを基地局に知らせなければならない。
【００９４】
図１６は、本発明の実施形態が実現される無線通信システムのブロック図である。
【００９５】
基地局８００は、プロセッサ（８１０；ｐｒｏｃｅｓｓｏｒ）、メモリ（８２０；ｍｅｍｏｒｙ）、及びＲＦ部（８３０；ｒａｄｉｏ  ｆｒｅｑｕｅｎｃｙ  ｕｎｉｔ）を備える。プロセッサ８１０は、提案された機能、過程、及び／又は方法を実現する。無線インターフェースプロトコルの階層はプロセッサ８１０により実現されることができる。メモリ８２０は、プロセッサ８１０と接続されて、プロセッサ８１０を駆動するための様々な情報を格納する。ＲＦ部８３０は、プロセッサ８１０と接続されて、無線信号を伝送及び／又は受信する。
【００９６】
端末９００は、プロセッサ９１０、メモリ９２０、及びＲＦ部９３０を備える。プロセッサ９１０は、提案された機能、過程、及び／又は方法を実現する。無線インターフェースプロトコルの階層はプロセッサ９１０により実現されることができる。メモリ９２０は、プロセッサ９１０と接続されて、プロセッサ９１０を駆動するための様々な情報を格納する。ＲＦ部９３０は、プロセッサ９１０と接続されて、無線信号を伝送及び／又は受信する。
【００９７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を備えることができる。ＲＦ部８３０、９３０は、無線信号を処理するためのベースバンド回路を備えることができる。実施形態がソフトウェアで実現されるとき、上述した技法は上述した機能を果たすモジュール（過程、機能等）で実現されることができる。モジュールは、メモリ８２０、９２０に格納されて、プロセッサ８１０、９１０により実行されることができる。メモリ８２０、９２０は、プロセッサ８１０、９１０の内部または外部にありうるし、よく知られた様々な手段でプロセッサ８１０、９１０と接続されることができる。
【００９８】
上述した例示的なシステムにおいて方法等は、一連のステップまたはブロックとして順序図に基づいて説明されているが、本発明は、ステップ等の順序に限定されるものではなく、あるステップは、上述したことと異なるステップと異なる順序でまたは同時に発生することができる。また、当業者であれば、順序図に示したステップ等が排他的でなく、他のステップが含まれたり、順序図の１つまたはそれ以上のステップが本発明の範囲に影響を及ぼさずに削除され得ることが理解できるであろう。
【図１】
0005766881.tif 000019
【図２】
0005766881.tif 000020
【図３】
0005766881.tif 000021
【図４】
0005766881.tif 000022
【図５】
0005766881.tif 000023
【図６】
0005766881.tif 000024
【図７】
0005766881.tif 000025
【図８】
0005766881.tif 000026
【図９】
0005766881.tif 000027
【図１０】
0005766881.tif 000028
【図１１】
0005766881.tif 000029
【図１２】
0005766881.tif 000030
【図１３】
0005766881.tif 000031
【図１４】
0005766881.tif 000032
【図１５】
0005766881.tif 000033
【図１６】
0005766881.tif 000034